【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
第１画素と第２画素とが行方向に配置され、第３画素と第４画素とが行方向に配置され、前記第１画素と前記第３画素とが列方向に配置され、前記第２画素と前記第４画素とが列方向に配置される撮像素子であって、
前記第１画素と前記第２画素と前記第３画素と前記第４画素とは、マイクロレンズを透過した光を光電変換して第１電荷を生成する第１光電変換部と、前記マイクロレンズを透過した光を光電変換して第２電荷を生成する第２光電変換部と、前記第１電荷と前記第２電荷との少なくとも一方を蓄積する蓄積部と、前記第１電荷を前記蓄積部に転送する第１転送部と、前記第２電荷を前記蓄積部に転送する第２転送部とをそれぞれ有し、
前記第１画素の前記第１転送部と前記第２画素の前記第２転送部とを制御するための第１制御線と、
前記第１画素の前記第２転送部と前記第２画素の前記第１転送部とを制御するための第２制御線と、
前記第３画素の前記第２転送部と前記第４画素の前記第１転送部とを制御するための第３制御線と、
前記第３画素の前記第１転送部と前記第４画素の前記第２転送部とを制御するための第４制御線と、を備える撮像素子。
【請求項２】
請求項１に記載の撮像素子において、
前記第１制御線は、前記第１画素の前記第１電荷と前記第２画素の前記第２電荷とを前記蓄積部に転送させる信号を、前記第１画素の前記第１転送部と前記第２画素の前記第２転送部とに出力する撮像素子。
【請求項３】
請求項１または２に記載の撮像素子において、
前記第１制御線は、前記第１画素の前記第１電荷を前記蓄積部に転送させるとともに、前記第２画素の前記第２電荷を前記蓄積部に転送させる信号を、前記第１画素の前記第１転送部と前記第２画素の前記第２転送部とに出力する撮像素子。
【請求項４】
請求項１から３のいずれか一項または２に記載の撮像素子において、
前記第２制御線は、前記第１画素の前記第２電荷と前記第２画素の前記第１電荷とを前記蓄積部に転送させる信号を、前記第１画素の前記第２転送部と前記第２画素の前記第１転送部とに出力する撮像素子。
【請求項５】
請求項４に記載の撮像素子において、
前記第２制御線は、前記第１画素の前記第２電荷を前記蓄積部に転送させるとともに、前記第２画素の前記第１電荷を前記蓄積部に転送させる信号を、前記第１画素の前記第２転送部と前記第２画素の前記第１転送部とに出力する撮像素子。
【請求項６】
請求項１から５のいずれか一項に記載の撮像素子において、
前記第３制御線は、前記第３画素の前記第２電荷と前記第４画素の前記第１電荷とを前記蓄積部に転送させる信号を、前記第３画素の前記第２転送部と前記第４画素の前記第１転送部とに出力する撮像素子。
【請求項７】
請求項６に記載の撮像素子において、
前記第３制御線は、前記第３画素の前記第２電荷を前記蓄積部に転送させるとともに、前記第４画素の前記第１電荷を前記蓄積部に転送させる信号を、前記第３画素の前記第２転送部と前記第４画素の前記第１転送部とに出力する撮像素子。
【請求項８】
請求項１から７のいずれか一項に記載の撮像素子において、
前記第４制御線は、前記第３画素の前記第２電荷と前記第４画素の前記第１電荷を前記蓄積部に転送させる信号を、前記第３画素の前記第２転送部と前記第４画素の前記第１転送部とに出力する撮像素子。
【請求項９】
請求項８に記載の撮像素子において、
前記第４制御線は、前記第３画素の前記第２電荷を前記蓄積部に転送させるとともに、前記第４画素の前記第１電荷を前記蓄積部に転送させる信号を、前記第３画素の前記第２転送部と前記第４画素の前記第１転送部とに出力する撮像素子。
【請求項１０】
請求項１から９のいずれか一項に記載の撮像素子において、
前記第１画素の前記第１電荷を前記蓄積部に転送させるとともに、前記第２画素の前記第２電荷を前記蓄積部に転送させる信号と、前記第３画素の前記第２電荷を前記蓄積部に転送させるとともに、前記第４画素の前記第１電荷を前記蓄積部に転送させる信号とを出力する制御部を備える撮像素子。
【請求項１１】
請求項１から９のいずれか一項に記載の撮像素子において、
前記第１画素の前記第２電荷を前記蓄積部に転送させるとともに、前記第２画素の前記第１電荷を前記蓄積部に転送させる信号を出力し、前記第３画素の前記第２電荷を前記蓄積部に転送させるとともに、前記第４画素の前記第２電荷を前記蓄積部に転送させる信号を出力する制御部を備える撮像素子。
【請求項１２】
請求項１から１０のいずれか一項に記載の撮像素子において、
前記第１光電変換部は、光学系の第１の領域と前記マイクロレンズとを透過した光を光電変換して第１電荷を生成し、
前記第２光電変換部は、前記光学系の第２の領域と前記マイクロレンズとを透過した光を光電変換して第２電荷を生成する撮像素子。
【請求項１３】
請求項１から１２のいずれか一項に記載の撮像素子と、
焦点調節光学系を有する光学系による像を撮像する前記撮像素子の前記第１画素と前記第２画素から出力される前記第１電荷に基づく信号と前記第２電荷に基づく信号とに基づいて、前記光学系による像が前記撮像素子に合焦するよう前記焦点調節光学系の位置を制御する位置制御部と、
を備える撮像装置。
【請求項１４】
請求項１から１２のいずれか一項に記載の撮像素子と、
焦点調節光学系を有する光学系による像を撮像する前記撮像素子から出力される、前記第１画素の前記第１電荷に基づく信号と前記第２画素の前記第２電荷に基づく信号、および前記第１画素の前記第２電荷に基づく信号と前記第２画素の前記第１電荷に基づく信号の少なくとも一方に基づいて、前記光学系による像が前記撮像素子に合焦するよう前記焦点調節光学系の位置を制御する位置制御部と、
を備える撮像装置。
【請求項１５】
請求項１３に記載の撮像装置において、
前記位置制御部は、前記第１画素の前記第１電荷に基づく信号と前記第２画素の前記第２電荷に基づく信号、および前記第１画素の前記第２電荷に基づく信号と前記第２画素の前記第１電荷に基づく信号の少なくとも一方に基づいて、前記焦点調節光学系の位置を制御する第１モードと、
前記第１画素の前記第１電荷に基づく信号と前記第２電荷に基づく信号、および前記第２画素の前記第１電荷に基づく信号と前記第２電荷に基づく信号の少なくとも一方に基づいて、前記焦点調節光学系の位置を制御する第２モードと、を有する撮像装置。
【手続補正２】
【補正対象書類名】明細書
【補正対象項目名】０００４
【補正方法】変更
【補正の内容】
【０００４】
本発明の第１の態様によると、撮像素子は、第１画素と第２画素とが行方向に配置され、第３画素と第４画素とが行方向に配置され、前記第１画素と前記第３画素とが列方向に配置され、前記第２画素と前記第４画素とが列方向に配置される撮像素子であって、前記第１画素と前記第２画素と前記第３画素と前記第４画素とは、マイクロレンズを透過した光を光電変換して第１電荷を生成する第１光電変換部と、前記マイクロレンズを透過した光を光電変換して第２電荷を生成する第２光電変換部と、前記第１電荷と前記第２電荷との少なくとも一方を蓄積する蓄積部と、前記第１電荷を前記蓄積部に転送する第１転送部と、前記第２電荷を前記蓄積部に転送する第２転送部とをそれぞれ有し、前記第１画素の前記第１転送部と前記第２画素の前記第２転送部とを制御するための第１制御線と、前記第１画素の前記第２転送部と前記第２画素の前記第１転送部とを制御するための第２制御線と、前記第３画素の前記第２転送部と前記第４画素の前記第１転送部とを制御するための第３制御線と、前記第３画素の前記第１転送部と前記第４画素の前記第２転送部とを制御するための第４制御線と、を備える。
本発明の第２の態様によると、撮像装置は、第１の態様による撮像素子と、焦点調節光学系を有する光学系による像を撮像する前記撮像素子の前記第１画素と前記第２画素から出力される前記第１電荷に基づく信号と前記第２電荷に基づく信号とに基づいて、前記光学系による像が前記撮像素子に合焦するよう前記焦点調節光学系の位置を制御する位置制御部と、を備える。